(57)【要約】【課題】光通信の変調周波数が高い場合でもＯＳＮＲを精度よく測定できる分光器を用いたＷＤＭモニタや光スペクトラムアナライザなどの光測定装置を提供すること。【解決手段】分光器を用いた光測定装置において、前記分光器の入射光を互いの偏波面が直交する２系統に分離する偏光分離素子と、この偏光分離素子で分離された直交偏波成分をそれぞれ個別に検出する受光素子を設け、変調周波数が高い場合でもＯＳＮＲを精度よく測定できるようにしたもの。【選択図】                    図１
2011220889.tif 000002
【特許請求の範囲】
【請求項１】
分光器を用いた光測定装置において、
前記分光器の入射光を互いの偏波面が直交する２系統に分離する偏光分離素子と、この偏光分離素子で分離された直交偏波成分をそれぞれ個別に検出する受光素子を設け、
変調周波数が高い場合でもＯＳＮＲを精度よく測定できるようにしたことを特徴とする光測定装置。
【請求項２】
前記偏光分離素子は、それぞれ光学軸に対して４５度の方向に厚みが連続的に変化する複屈折性を有する１軸性または２軸性の２枚の結晶板を、光学軸が互いに直交するようにして貼り合わせたものであることを特徴とする請求項１に記載の光測定装置。
【請求項３】
前記偏光分離素子の前段に偏光調節手段を設けて、前記偏光分離素子で入射光が均等に偏光分離されるのを防止することを特徴とする請求項１または請求項２に記載の光測定装置。
【請求項４】
前記光測定装置は、ＷＤＭモニタと光スペクトラムアナライザのいずれかであることを特徴とする請求項１から請求項３のいずれかに記載の光測定装置。
【発明の詳細な説明】
【技術分野】
【０００１】
本発明は、光測定装置に関するものであり、詳しくは、分光器を用いた光測定装置において、光通信の変調周波数が高い場合のＯＳＮＲ（Optical Signal to Noise Ratio, 光信号対雑音比）測定の改善に関するものである。
【０００２】
図６は、モノクロメータ方式の従来の光測定装置の一例を示す構成説明図である。図６において、光ファイバ１から出た光はレンズ２で平行光に変換されて回折格子３に入射され、回折される。回折格子３で回折された光は、レンズ４で集光されてフォトダイオードアレイ５（以下ＰＤＡという）上に結像される。
【０００３】
このとき、回折格子３に入射された光は、波長によって回折角度が異なるため、図７（Ａ）に示すように、波長によってＰＤＡ５上に結像する位置が異なる。したがって、ＰＤＡ５上の位置を、図７（Ｂ）に示すように波長に換算することで、光のスペクトラムが測定できる。
【０００４】
図８は、モノクロメータ方式の従来の光測定装置の他の例を示す構成説明図である。図８において、光ファイバ１から出た光はレンズ２で平行光に変換されて回折格子３に入射され、回折される。回折格子３で回折された光は、レンズ４で集光されてスリット６上に結像される。スリット６を通過した光はフォトダイオード７（以下ＰＤという）で電気信号に変換される。
【０００５】
このとき、回折格子３を回転させると、回折格子３に入射した光は波長によって回折角度が異なるため、図９（Ａ）に示すように、波長によってスリット６上に結像するときの回転角度が異なる。この結果、回折格子３の回転角度を、図９（Ｂ）に示すように波長に換算することで、光のスペクトラムが測定できる。
【０００６】
ところで、光通信において、光の変調周波数が１０ＧＨｚ以下の場合は、図１０に示すように変調による光スペクトルの広がりは狭いため、たとえば５０ＧＨｚ間隔で光信号のチャネルが並んだ場合であっても信号間のノイズフロアを測定できるので、図６や図８に示したようなモノクロメータ方式の従来技術でも、ＯＳＮＲの測定が可能である。
【０００７】
特許文献１には、分光器およびそれを用いた光スペクトラムアナライザの構成が記載されている。
【先行技術文献】
【特許文献】
【０００８】
【特許文献１】特開２０００−２９８０６７号
【発明の概要】
【発明が解決しようとする課題】
【０００９】
しかし、光の変調周波数がたとえば４０ＧＨｚになった場合は、図１１に示すように変調による光スペクトルの広がりは広くなり、たとえば５０ＧＨｚ間隔で光信号のチャネルが並ぶと信号間のノイズフロアを測定することが難しくなり、ＯＳＮＲの測定が困難になる。
【００１０】
本発明は、このような従来の問題点に着目したものであり、その目的は、光通信の変調周波数が高い場合でもＯＳＮＲを精度よく測定できる分光器を用いたＷＤＭモニタや光スペクトラムアナライザなどの光測定装置を提供することにある。
【課題を解決するための手段】
【００１１】
このような課題を達成する請求項１の発明は、
分光器を用いた光測定装置において、
前記分光器の入射光を互いの偏波面が直交する２系統に分離する偏光分離素子と、この偏光分離素子で分離された直交偏波成分をそれぞれ個別に検出する受光素子を設け、
変調周波数が高い場合でもＯＳＮＲを精度よく測定できるようにしたものである。
【００１２】
請求項２の発明は、請求項１に記載の光測定装置において、
前記偏光分離素子は、それぞれ光学軸に対して４５度の方向に厚みが連続的に変化する複屈折性を有する１軸性または２軸性の２枚の結晶板を、光学軸が互いに直交するようにして貼り合わせたものであることを特徴とする
【００１３】
請求項３の発明は、請求項１または請求項２に記載の光測定装置において、
前記偏光分離素子の前段に偏光調節手段を設けて、前記偏光分離素子で入射光が均等に偏光分離されるのを防止することを特徴とする
【００１４】
請求項４の発明は、請求項１から請求項３のいずれかに記載の光測定装置において、
前記光測定装置は、ＷＤＭモニタと光スペクトラムアナライザのいずれかであることを特徴とする。
【発明の効果】
【００１５】
これらにより、比較的簡単な構成で、変調周波数が高い場合でもＯＳＮＲを精度よく測定できる。
【図面の簡単な説明】
【００１６】
【図１】本発明の一実施例を示す構成説明図である。
【図２】本発明の他の実施例を示す構成説明図である。
【図３】本発明の動作説明図である。
【図４】本発明の他の実施例を示す構成説明図である。
【図５】本発明の他の実施例を示す構成説明図である。
【図６】モノクロメータ方式の従来の光測定装置の一例を示す構成説明図である。
【図７】図７の動作説明図である。
【図８】モノクロメータ方式の従来の光測定装置の他の例を示す構成説明図である。
【図９】図８の動作説明図である。
【図１０】光の変調周波数が低い場合のＯＳＮＲの測定説明図である。
【図１１】光の変調周波数が高い場合のＯＳＮＲの測定説明図である。
【発明を実施するための最良の形態】
【００１７】
以下、本発明について、図面を用いて説明する。図１は本発明の一実施例を示す構成説明図であり、図６と共通する部分には同一の符号を付けている。図１と図６の相違点は、レンズ２と回折格子３の間に入射光を互いの偏波面が直交する２系統に分離する偏光分離素子８を設けていることと、レンズ４で集光された直交偏波成分をそれぞれ個別に検出するＰＤＡ５１と５２を設けていることである。
【００１８】
ここで、偏光分離素子８としては、それぞれ光学軸に対して４５度の方向に厚みが連続的に変化する複屈折性を有する水晶、方解石、雲母、フッ化マグネシウムなどの１軸性または２軸性の２枚の結晶板を、光学軸が互いに直交するようにして貼り合わせたものを用いる。
【００１９】
図２は本発明の他の実施例を示す構成説明図であり、図８と共通する部分には同一の符号を付けている。図１と図８の相違点は、レンズ２と回折格子３の間に入射光を互いの偏波面が直交する２系統に分離する図１と同様な偏光分離素子８を設けていることと、レンズ４で集光された直交偏波成分をそれぞれ個別に検出するスリット６１と６２、ＰＤ７１と７２を設けていることである。なお、ＰＤ７１、７２の口径が十分小さい場合には、スリット６１、６２を省略することができる。また、ここではレンズ２と回折格子３の間に偏光分離素子８を挿入した例を示しているが、光ファイバ１で代用された入射スリットとレンズ２の間に偏光分離素子８を挿入してもよい。
【００２０】
図３は、図１または図２のように構成される本発明の動作説明図である。
図３（Ａ）において、４０ＧＨｚ変調信号のスペクトラムより狭い帯域幅で、波長λ１，λ２におけるＰＤの出力を測定する。このときの測定パワーをP1'，P2'、ノイズ成分をＡＳＥとすると、
P1'＝P1＋ASE
P2'＝P2＋ASE
が成り立つ。このとき、P1，P2は、ASEを除いた信号成分のパワーである。
【００２１】
図３（Ｂ），（Ｃ）において、直交偏波光として分離された後、同様に同じ波長λ１，λ２（図１の構成では波長換算した同じ位置に相当するＰＤ、図２の構成では波長換算した回転角度）における４０ＧＨｚ変調信号のスペクトラムを測定すると、偏波に依存しないＡＳＥ信号はそれぞれ１／２に分離されるため、
P3'＝P3＋(1/2)ASE
P4'＝P4＋(1/2)ASE
P5'＝P5＋(1/2)ASE
P6'＝P6＋(1/2)ASE
となる。
【００２２】
また、各波長λ１，λ２で測定した信号成分のパワーについては、スペクトラムの相似形から、  
(P2/P1)＝(P4/P3)＝(P6/P5）
の関係が成り立つ。
【００２３】
以上の式からＡＳＥを求めると、
（P2'−ASE)/(P1'−ASE)＝｛P4'−(1/2)ASE}/｛P3'−(1/2)ASE}
＝｛P6'−(1/2)ASE}/｛P5'−(1/2)ASE}
から、
ASE＝{2(P1'*P4'−P2'*P3')}/(P1'−P2'−2P3'＋2P4')
＝{2(P3'*P6'−P4'*P5')}/(P3'−P4'−P5'＋P6')
となり、各測定値からＡＳＥが求まれば、信号成分P1，P2，P3，P4，P5，P6を求めることができる。
【００２４】
さらに、信号成分から４０ＧＨＺ信号のパワーを演算し、ＡＳＥとの比からＯＳＮＲを求めることができる。
【００２５】
すなわち、図１または図２のように構成することにより、変調周波数が高い場合であっても、ＯＳＮＲを精度よく測定できるモノクロメータ方式の光測定装置が実現できる。
【００２６】
図４および図５も本発明の他の実施例を示す構成説明図であり、図２の構成における回折格子３を通過波長帯域が任意に変えられるチューナブルフィルタ９に変更したものである。
【００２７】
図４の構成ではレンズ２の出力光はチューナブルフィルタ９を介して偏光分離素子８に入射され、図５の構成ではレンズ２の出力光は偏光分離素子８を介してチューナブルフィルタ９に入射されている。
【００２８】
これら図４または図５の構成によれば、回折格子のように光軸を反射させる構成にしなくてもよく、またスリットも不要になることから、装置を小型化できるという効果も得られる。
【００２９】
なお、上記の動作説明では、垂直偏波によってＡＳＥが等分に分離されるとしたが、実際には偏光分離素子８の能力・性能によっては等分に分離できないこともある。
この場合には、
P3'＝P3＋k*ASE
P4'＝P4＋k*ASE
P5'＝P5＋(1−k)ASE
P6'＝P6＋(1−k)ASE
となる。
【００３０】
そして、
（P2'−ASE)/(P1'−ASE)＝｛P4'−k*ASE}/｛P3'−k*ASE}
＝｛P6'−(1−k)ASE}/｛P5'−(1−k)ASE}
から、
ASE＝(P1'*P4'−P2'*P3')/(k*P1'−k*P2'−P3'＋P4')
＝(P3'*P6'−P4'*P5')/{(1−k)P3'−(1−k)P4'−k*P5'＋k*P6'}
となり、各測定値からＡＳＥが求まれば、信号成分P1，P2，P3，P4，P5，P6を求めることができる。
【００３１】
また、上記各実施例において、入射光が偏光分離素子８で均等に分離されると、
P3'＝P4'
P5'＝P6'
となって、前述のような連立方程式が成り立たなくなり、計算不可能になってしまう。
このような不具合の改善にあたっては、偏光分離素子８の前段に偏光スクランブラや単純に偏光をずらすだけの偏光調節器を設けて、入射光が偏光分離素子８で均等に分離されることを防止すればよい。
【００３２】
以上説明したように、本発明によれば、比較的簡単な構成で、光通信の変調周波数が高い場合でもＯＳＮＲを精度よく測定できる光測定装置を実現できる。
【符号の説明】
【００３３】
１  光ファイバ
２、４  レンズ
３  回折格子
５１、５２  フォトダイオードアレイ（ＰＤＡ）
６１、６２  スリット
７１、７２  フォトダイオード（ＰＤ）
８  偏光分離素子
９  チューナブルフィルタ
【図２】
2011220889.tif 000003
【図４】
2011220889.tif 000004
【図５】
2011220889.tif 000005
【図８】
2011220889.tif 000006
【図１】
2011220889.tif 000007
【図３】
2011220889.tif 000008
【図６】
2011220889.tif 000009
【図７】
2011220889.tif 000010
【図９】
2011220889.tif 000011
【図１０】
2011220889.tif 000012
【図１１】
2011220889.tif 000013